(57)【特許請求の範囲】
【請求項１】
一台以上のカメラの視野のための基準照明もしくは背景照明として細長形状の照明を送達するための選別機照明アセンブリであって、
導光器と、
細長形状の光源とを備え、
前記導光器は、内部に細長形状の光源を受け入れ、細長形状の照明を送達する細長形状の照明開口を有する細長形状の反射鏡キャビティを規定する反射鏡ボックスを備え、
前記反射鏡ボックスは、前端部において前記照明開口を規定する第１及び第２の主反射鏡セクションと、前記照明開口に設置されて照明を拡散させる透過性拡散器とを備え、
前記細長形状の光源は、前記キャビティの長さに沿って前記キャビティの内部に設置され、前記反射鏡ボックスより長い寸法を有しており、これにより、前記光源の端部の領域は、前記反射鏡ボックスの外部に位置し、前記照明の提供に使用されず、
前記反射鏡ボックスは、前記光源から放射される光を前記透過性拡散器の上流で多重反射させ、それにより、前記光源から放射される光を均一化させる
ことを特徴とする選別機照明アセンブリ。
【請求項２】
前記光源を遮蔽して、送達される前記照明の放射輝度の制御を提供するべく前記キャビティの中に移動可能であり、これにより、前記キャビティの中へ移動された自身の程度によって、送達される前記照明の放射輝度を決定するシャッター部材をさらに備える
ことを特徴とする請求項１に記載の選別機照明アセンブリ。
【請求項３】
一台以上のカメラの視野のための基準照明もしくは背景照明として細長形状の照明を送達するための選別機照明アセンブリであって、
内部に光源を受け入れ、細長形状の照明を送達する細長形状の照明開口を有する細長形状の反射鏡キャビティを規定する反射鏡ボックスを備え、前記反射鏡ボックスは、前端部において前記照明開口を規定する第１及び第２の主反射鏡セクションと、前記照明開口に設置されて照明を拡散させる透過性拡散器とを備える導光器と、
前記光源を遮蔽して、送達される前記照明の放射輝度の制御を提供するべく前記キャビティの中に移動可能であり、これにより、前記キャビティの中へ移動された自身の程度によって、送達される前記照明の放射輝度を決定するシャッター部材と
を備え、
前記反射鏡ボックスは、前記光源から放射される光を前記透過性拡散器の上流で多重反射させ、それにより、前記光源から放射された光を均一化させる
ることを特徴とする選別機照明アセンブリ。
【請求項４】
前記光源は、前記反射鏡ボックスよりも長い寸法を有し、これにより、前記光源の端部の領域は、前記反射鏡ボックスの外部に位置し、前記照明の提供に使用されない
ことを特徴とする請求項３に記載の選別機照明アセンブリ。
【請求項５】
前記シャッター部材は、前記キャビティの中に挿入可能であり、これにより、前記光源の放射輝度は、前記シャッター部材の挿入深度を設定することにより決定される
ことを特徴とする請求項２乃至４のいずれかに記載の選別機照明アセンブリ。
【請求項６】
前記シャッター部材は、板から構成される
ことを特徴とする請求項５に記載の選別機照明アセンブリ。
【請求項７】
前記シャッター部材は、前記キャビティの中にその一方側のみから挿入される
ことを特徴とする請求項５又は６に記載の選別機照明アセンブリ。
【請求項８】
前記光源の長手方向の軸と直交する方向の前記キャビティの寸法は、前記照明開口に向かう方向に減少する
ことを特徴とする請求項１乃至７のいずれかに記載の選別機照明アセンブリ。
【請求項９】
前記キャビティは、前記照明開口に向かう前記方向に向けて内側に先細になる
ことを特徴とする請求項８に記載の選別機照明アセンブリ。
【請求項１０】
前記反射鏡ボックスは、第１及び第２の端部セクションと、後方反射鏡セクションとをさらに有し、
前記第１及び第２の端部セクションは、前記主反射鏡セクションの各端部に設置され、
前記後方反射鏡セクションは、光を前記照明開口及び前記透過性拡散器を介して前方に反射させるべく作用する
ことを特徴とする請求項１乃至９のいずれかに記載の選別機照明アセンブリ。
【請求項１１】
前記主反射鏡セクションは、前記光源から放射される光を前記透過性拡散器の上流で多重反射させる長さを前後方向に有する
ことを特徴とする請求項１０に記載の選別機照明アセンブリ。
【請求項１２】
前記主反射鏡セクションは、反射性強化アルミニウムで形成される
ことを特徴とする請求項１乃至１１のいずれかに記載の選別機照明アセンブリ。
【請求項１３】
前記光源は、単一の細長形状の部材から構成される
ことを特徴とする請求項１乃至１２のいずれかに記載の選別機照明アセンブリ。
【請求項１４】
前記光源は、蛍光管から構成される
ことを特徴とする請求項１３に記載の選別機照明アセンブリ。
【請求項１５】
前記光源は、複数の光学部材から構成される
ことを特徴とする請求項１乃至１２のいずれかに記載の選別機照明アセンブリ。
【請求項１６】
前記光源は、前記キャビティの長さに沿って配列される複数の光学部材から構成されており、送達される前記照明の放射輝度を制御するべく、前記複数の光学部材の少なくともいくつかは、選択的に点灯可能である
ことを特徴とする請求項１乃至１２のいずれかに記載の選別機照明アセンブリ。
【請求項１７】
送達された照明全域で均一性を保つべく、二点較正アルゴリズムが、最大及び最小の放射輝度を使用して、前記光学部材のそれぞれに用いられる
ことを特徴とする請求項１６に記載の選別機照明アセンブリ。
【請求項１８】
送達された照明全域で均一性を保つべく、一台以上のカメラからのフィードバックを利用する動的設定ルーチンを用いる
ことを特徴とする請求項１６に記載の選別機照明アセンブリ。
【発明の詳細な説明】
【技術分野】
【０００１】
本発明は、光源から細長形状の照明（ｅｌｏｎｇａｔｅ  ｉｌｌｕｍｉｎａｔｉｏｎ）を、特にしばしば背景照明と別称される基準照明（ｒｅｆｅｒｅｎｃｅ  ｉｌｌｕｍｉｎａｔｉｏｎ）を提供するための導光器、及びそれを組み込んだ照明アセンブリに関する。
【背景技術】
【０００２】
本発明は、多くの用途を有する。それには、選別機で基準照明を提供することが含まれる。選別機では、食品等の製品が基準（ｒｅｆｅｒｅｎｃｅ）もしくは背景に対して撮像される。このような選別機では、基準は、一台以上の撮像カメラの視野をカバーする大きさの物理的広がりを有していなければならず、また、製作公差に起因する位置誤差を考慮に入れたものでなければならない。さらに、基準は、基準と反射率が最も高い選別品とからの信号が区別可能となるようにするべく、反射率が最も高い選別品から観察される放射輝度よりも高い放射輝度を有していなければならず、また、反射率の異なる品々の選別を可能にするべく調節可能でなければならない。
【０００３】
既存の導光器の一つは、細長形状の箱を備えている。この細長形状の箱は、５辺で蛍光管を取り囲んでおり、角度を付けた白色反射板に照明を送達する照明開口を有する。箱の内面には、拡散性の白色塗布剤が塗布されており、蛍光管からの光を照明開口から拡散的に反射させる。この照明アセンブリでは、放射輝度は、反射板の傾斜角度を制御することにより調節される。
【０００４】
国際公開第ＷＯ−Ａ−２００５／０８８３６６号に開示される別の導光器は、一対の離間した細長形状の板と、反射鏡の配列とを備える。
【０００５】
しかし、これらの導光器には、特に２つの欠点がある。それは、放射輝度が可視領域全体で均一でないことと、最高放射輝度が全選別品に対応できるほどに高くないことである。
【発明の開示】
【発明が解決しようとする課題】
【０００６】
したがって、本発明の目的は、改良された導光器及び照明アセンブリを提供することである。
【０００７】
本発明の特段の目的の一つは、既存の導光器及び照明アセンブリに比較してより均一な放射輝度を提供する導光器及び照明アセンブリを提供することである。
【０００８】
本発明の別の特段の目的は、既存の導光器及び照明アセンブリに比較してより高い最高放射輝度を提供する導光器及び照明アセンブリを提供することである。
【０００９】
一つの観点では、本発明は、照明、特に基準照明もしくは背景照明を送達するための導光器を提供する。導光器は、内部に光源を受け入れ、照明を送達する照明開口を有する反射鏡キャビティを規定する反射鏡ボックスと、照明開口に設置されて照明を拡散させる透過性拡散器と、光源を遮蔽して、送達される照明の放射輝度の制御を提供するべくキャビティの中に移動可能であり、これにより、キャビティでの自身の位置によって、送達される照明の放射輝度の制御を決定するシャッター部材とを備える。
【００１０】
一つの実施形態では、反射鏡ボックスは、光源から放射される光を拡散器の上流で多重反射させ、それにより送達される照明を均一化させる。
【００１１】
一つの実施形態では、キャビティの寸法は、照明開口に向かう方向に減少する。
【００１２】
一つの実施形態では、キャビティは、照明開口に向かう方向に向けて内側に先細になる（テーパー状に形成されている）。
【００１３】
一つの実施形態では、反射鏡ボックスは、第１及び第２の主反射鏡セクションと、第１及び第２の端部セクションと、後方反射鏡セクションとを有し、第１及び第２の主反射鏡セクションの前縁部は、照明開口を規定し、第１及び第２の端部セクションは、主反射鏡セクションの各端部に設置され、後方反射鏡セクションは、光を照明開口及び拡散器を介して前方に反射させるべく作用する。
【００１４】
一つの実施形態では、主反射鏡セクションは、光源から放射される光を拡散器の上流で多重反射させる長さを前後方向に有する。
【００１５】
一つの実施形態では、反射鏡セクションは、反射性強化アルミニウムで形成される。
【００１６】
一つの実施形態では、照明開口は、細長形状の開口であり、照明は、細長形状の照明である。
【００１７】
一つの実施形態では、拡散器は、ランバートタイプの拡散を提供する。
【００１８】
一つの実施形態では、拡散器は、半透明材料で形成される。
【００１９】
一つの実施形態では、シャッター部材は、キャビティの中に挿入可能であり、これにより、光源の放射輝度の制御は、シャッター部材の挿入深度を設定することにより決定される。
【００２０】
一つの実施形態では、シャッター部材は、板から構成される。
【００２１】
一つの実施形態では、シャッター部材は、キャビティの中にその一方側のみから挿入され、それにより光源を不均等に遮蔽する。
【００２２】
別の観点では、本発明は、上記の導光器と、反射鏡ボックスの内部に設置された光源とを備える照明アセンブリを提供する。
【００２３】
一つの実施形態では、光源は、単一の細長形状の部材から構成される。
【００２４】
一つの実施形態では、光源は、反射鏡ボックスよりも長い寸法を有し、これにより、光源の端部の領域は、反射鏡ボックスの外部に位置し、照明の提供に使用されない。
【００２５】
一つの実施形態では、光源は、蛍光管から構成される。
【００２６】
別の実施形態では、光源は、複数の光学部材から構成される。
【００２７】
一つの実施形態では、光学部材は、ＬＥＤ等の点部材から構成される。
【００２８】
さらなる観点では、本発明は、細長形状の照明、特に基準照明もしくは背景照明を送達するための照明アセンブリを提供する。照明アセンブリは、
導光器と、細長形状の光源とを備え、導光器は、内部に細長形状の光源を受け入れ、細長形状の照明を送達する細長形状の照明開口を有する細長形状の反射鏡キャビティを規定する反射鏡ボックスと、照明開口に設置されて照明を拡散させる透過性拡散器とを備え、細長形状の光源は、キャビティの内部に設置され、反射鏡ボックスより長い寸法を有しており、これにより、光源の端部の領域は、反射鏡ボックスの外部に位置し、照明の提供に使用されない。
【００２９】
一つの実施形態では、反射鏡ボックスは、光源から放射される光を拡散器の上流で多重反射させ、それにより送達される照明を均一化させる。
【００３０】
一つの実施形態では、キャビティの寸法は、照明開口に向かう方向に減少する。
【００３１】
一つの実施形態では、キャビティは、照明開口に向かう方向に向けて内側に先細になる。
【００３２】
一つの実施形態では、反射鏡ボックスは、第１及び第２の主反射鏡セクションと、第１及び第２の端部セクションと、後方反射鏡セクションとを有し、第１及び第２の主反射鏡セクションの前縁部は、照明開口を規定し、第１及び第２の端部セクションは、主反射鏡セクションの各端部に設置され、後方反射鏡セクションは、光を照明開口及び拡散器を介して前方に反射させるべく作用する。
【００３３】
一つの実施形態では、主反射鏡セクションは、光源から放射される光を拡散器の上流で多重反射させる長さを前後方向に有する。
【００３４】
一つの実施形態では、反射鏡セクションは、反射性強化アルミニウムで形成される。
【００３５】
一つの実施形態では、拡散器は、ランバートタイプの拡散を提供する。
【００３６】
一つの実施形態では、拡散器は、半透明材料で形成される。
【００３７】
一つの実施形態では、導光器は、光源を遮蔽して、送達される照明の放射輝度の制御を提供するべくキャビティの中に移動可能なシャッター部材をさらに備える。
【００３８】
一つの実施形態では、シャッター部材は、キャビティの中に挿入可能であり、これにより、光源の放射輝度の制御は、シャッター部材の挿入深度を設定することにより決定される。
【００３９】
一つの実施形態では、シャッター部材は、板から構成される。
【００４０】
一つの実施形態では、シャッター部材は、キャビティの中にその一方側のみから挿入され、それにより光源を不均等に遮蔽する。
【００４１】
一つの実施形態では、光源は、単一の細長形状の部材から構成される。
【００４２】
一つの実施形態では、光源は、蛍光管から構成される。
【００４３】
またさらなる観点では、本発明は、細長形状の照明、特に基準照明もしくは背景照明を送達するための照明アセンブリを提供する。照明アセンブリは、導光器と、光源とを備え、導光器は、内部に光源を受け入れ、細長形状の照明を送達する細長形状の照明開口を有する細長形状の反射鏡キャビティを規定する反射鏡ボックスと、照明開口に設置されて照明を拡散させる透過性拡散器とを備え、光源は、キャビティの内部に設置され、キャビティの長さに沿って配列される複数の光学部材から構成されており、送達される照明の放射輝度を制御するべく、複数の光学部材の少なくともいくつかは、選択的に点灯可能である。
【００４４】
一つの実施形態では、キャビティの寸法は、照明開口に向かう方向に減少する。
【００４５】
一つの実施形態では、キャビティは、照明開口に向かう方向に向けて内側に先細になる。
【００４６】
一つの実施形態では、反射鏡ボックスは、第１及び第２の主反射鏡セクションと、第１及び第２の端部セクションと、後方反射鏡セクションとを有し、第１及び第２の主反射鏡セクションの前縁部は照明開口を規定し、第１及び第２の端部セクションは、主反射鏡セクションの各端部に設置され、後方反射鏡セクションは、光を照明開口及び拡散器を介して前方に反射させるべく作用する。
【００４７】
一つの実施形態では、主反射鏡セクションは、光源から放射される光を拡散器の上流で多重反射させる長さを前後方向に有する。
【００４８】
一つの実施形態では、反射鏡セクションは、反射性強化アルミニウムで形成される。
【００４９】
一つの実施形態では、拡散器は、ランバートタイプの拡散を提供する。
【００５０】
一つの実施形態では、拡散器は、半透明材料で形成される。
【００５１】
またさらなる観点では、本発明は、照明、特に基準照明もしくは背景照明を送達するための導光器を提供する。導光器は、内部に光源を受け入れ、照明を送達する照明開口を有する反射鏡キャビティを規定する反射鏡ボックスと、照明開口に設置されて照明を拡散させる透過性拡散器とを備える。
【００５２】
本発明の好適な実施形態を添付の図面を参照して、例示としてのみ以下に記載する。
【図面の簡単な説明】
【００５３】
【図１】本発明の好適な実施形態に係る照明アセンブリの斜視図である。
【図２】図１の照明アセンブリの部分斜視図である。
【図３】図１の照明アセンブリの（断面Ｉ−Ｉに沿った）縦断面図である。
【図４】図１の照明アセンブリの一変更例としての照明アセンブリの部分斜視図である。
【発明を実施するための形態】
【００５４】
照明アセンブリは、導光器１５と、導光器１５の内部に、本実施形態では後部に設置される光源１９とを備える。
【００５５】
導光器１５は、反射鏡ボックス２１と、透過性拡散器２７と、シャッター機構２９とを備える。反射鏡ボックス２１は、内部に光源１９を受け入れ、照明を送達する照明開口２５、本実施形態では、細長形状の開口を有する反射鏡キャビティ２３を規定する。透過性拡散器２７は、照明開口２５内に設置され、照明を拡散させる。シャッター機構２９は、光源１９を遮蔽して、送達される照明の放射輝度の強度を制御するべく作用する。
【００５６】
反射鏡ボックス２１は、第１及び第２の主反射鏡セクション３１、３３と、第１及び第２の端部セクション３５、３７と、後方反射鏡セクション３９とを有する。第１及び第２の主反射鏡セクション３１、３３は、本実施形態では細長形状のセクションであり、その前縁部が照明開口２５を規定する。第１及び第２の端部セクション３５、３７は、主反射鏡セクション３１、３３の各端部に設置される。後方反射鏡セクション３９は、光源１９の後方に設置され、光を照明開口２５及び拡散器２７を介して前方に反射させる。
【００５７】
この構成により、光源１９からの光の全部が反射鏡ボックス２１の内部に閉じ込められ、拡散器２７を介して送達される。これにより、光源１９のみを同じ相対位置に設置した場合に得られる放射輝度よりも高い放射輝度が提供される。
【００５８】
本実施形態では、反射鏡ボックス２１は、光源１９から放射される光を拡散器２７の上流で多重反射させるべく構成されている。したがって、送達される照明は、より一層均一化される。
【００５９】
本実施形態では、主反射鏡セクション３１、３３は、光源１９から放射される光を拡散器２７の上流で多重反射させる長さを前後方向に有する。
【００６０】
本実施形態では、主反射鏡セクション３１、３３の前縁間に規定される照明開口２５の垂直寸法は、それらの後縁での垂直寸法よりも小さい。これにより、多重反射と放射輝度の増大とが提供される。照明開口２５の垂直寸法は、送達される照明に要求される最高放射輝度によって決定する。
【００６１】
本実施形態では、主反射鏡セクション３１、３３は、前方に向けて内側にすぼみ、したがって、反射鏡キャビティ２３は前方に向けて内側に先細になる。
【００６２】
本実施形態では、反射鏡セクション３１、３３、３５、３７、３９は、反射性強化アルミニウムで形成される。
【００６３】
本実施形態では、拡散器２７は、ランバートタイプの拡散を提供し、通常は、オパール製のＰｅｒｓｐｅｘ（登録商標）等の半透明材料で形成される。
【００６４】
本実施形態では、シャッター機構２９は、シャッター部材４１と、シャッター部材４１を移動させるアクチュエータ４３とを備える。シャッター部材４１は、ここでは、塗装軟鋼板（ｐａｉｎｔｅｄ  ｍｉｌｄ  ｓｔｅｅｌ  ｐｌａｔｅ）等の板であり、反射鏡キャビティ２３の中へと移動可能である。シャッター機構２９は、光源１９の実効垂直寸法の制御を可能にし、これにより、シャッター部材４１の挿入深度を設定することによる放射輝度の制御を提供する。
【００６５】
本実施形態では、シャッター部材４１は、光源１９の一方側のみから反射鏡キャビティ２３に挿入される。このシャッター部材４１の一方側挿入は、反射鏡ボックス２１の構成により得られる均一化効果により可能となる。
【００６６】
本実施形態では、光源１９は、単一の細長形状の部材、ここでは、蛍光管である。光源１９は、反射鏡ボックス２１よりも長い寸法を有しており、これにより、蛍光管の端部の死角は、反射鏡ボックス２１の外部に位置し、照明の提供には使用されない。
【００６７】
別の実施形態では、光源１９は、複数の光学部材、通常は、ＬＥＤ等の点部材から構成されてもよい。
【００６８】
最後に、本発明は、その好適な実施形態について記載され、本発明は、添付の特許請求の範囲に定義される発明の範囲から逸脱することなく多くの異なる態様で変更し得ることは理解されよう。
【００６９】
一つの変更例では、図４に示すように、シャッター機構２９は、省略可能であり、光源１９は、例えばＬＥＤ等の複数の光学部材５１から構成可能である。光学部材５１の一部を選択的に点灯させて、送達される照明の放射輝度の強度を制御することが可能である。一つの実施形態では、背景全域で均一性を保つべく、二点（最大、最小）較正アルゴリズムを光学部材５１のそれぞれに用いることが可能である。別の実施形態では、一台以上のカメラからのフィードバックを利用する動的設定ルーチンを用いることが可能である。
【図１】
0005782380.tif 000002
【図２】
0005782380.tif 000003
【図３】
0005782380.tif 000004
【図４】
0005782380.tif 000005